(57)【要約】  電子ベイピング装置のカートリッジ（１０）は、長手方向に延在するハウジング（１５）を含む。ハウジング（１５）は、第一の端（２５）および第二の端（３０）を有する、略円柱状の側壁（２０）を含む。ハウジングはまた、側壁（２０）の第一の端（２５）における横軸方向の壁（３５）と、側壁（２０）および横軸方向の壁（３５）と一体的に形成される内側管（４５）と、を含む。横軸方向の壁（３５）は、その中に少なくとも１つの出口（４０）を含む。内側管（４５）は長手方向に延在する。内側管（４５）は、側壁（２０）に対して同心に位置付けられる。内側管（４５）は、少なくとも１つの出口（４０）と連通する。カートリッジ（１０）はまた、側壁（２０）と内側管（４５）との間に貯蔵部（５０）を含む。貯蔵部（５０）は、プレベイパー製剤を収容するように構成される。【選択図】図３
2019517840.tif 000002
【特許請求の範囲】
【請求項１】
電子ベイピング装置のカートリッジであって、前記カートリッジは、一体型の構造を有し、
長手方向に延在するハウジングであって、
側壁であって、略円柱状であり、第一の端および第二の端を含む、側壁、
前記側壁の前記第一の端における横軸方向の壁であって、その中に少なくとも１つの出口を含む、横軸方向の壁、および
前記側壁および前記横軸方向の壁と一体的に形成される内側管であって、長手方向に延在し、前記側壁に対して同心に位置付けられ、前記少なくとも１つの出口と連通する、内側管を含む、ハウジングと、
前記側壁と前記内側管との間の貯蔵部であって、プレベイパー製剤を収容するように構成される、貯蔵部と、を備える、カートリッジ。
【請求項２】
前記ハウジングの前記側壁とその前記第二の端で接続するように構成される端部キャップであって、端部キャップ側壁および端部壁を含み、前記端部キャップ側壁が略円柱状である、端部キャップをさらに備える、請求項１に記載のカートリッジ。
【請求項３】
前記端部キャップ側壁が、前記ハウジングの前記側壁の内径よりも小さい外径を有し、そのため前記端部キャップ側壁が、前記ハウジングの前記側壁に受けられるように構成される、請求項２に記載のカートリッジ。
【請求項４】
前記端部キャップが、その中に少なくとも１つの入口を含み、前記少なくとも１つの入口が、前記端部キャップ側壁が前記ハウジングの前記側壁に受けられた時に、前記内側管と連通する、請求項３に記載のカートリッジ。
【請求項５】
前記端部キャップが、それを通って延在する第一のオリフィスおよび第二のオリフィスを含み、前記第一のオリフィスおよび前記第二のオリフィスが、前記端部キャップ側壁が前記ハウジングの前記側壁に受けられた時に、前記貯蔵部と連通するように構成される、請求項４に記載のカートリッジ。
【請求項６】
芯であって、第一の端、第二の端、および前記第一の端と前記第二の端との間の中央部分を含み、前記第一の端および前記第二の端が、第一のオリフィスおよび前記第二のオリフィスを通って延在し、前記第一の端および前記第二の端が、前記貯蔵部に収容されたプレベイパー製剤と接触するように構成され、前記中央部分が、前記少なくとも１つの入口の上に延在する、芯をさらに備える、請求項５に記載のカートリッジ。
【請求項７】
前記芯が、セルロース系材料、ガラス材料、ガラス繊維および綿のうちの少なくとも１つで形成される、請求項６に記載のカートリッジ。
【請求項８】
前記端部キャップが、前記端部キャップを通って延在する、第三のオリフィスおよび第四のオリフィスを含む、請求項６または７に記載のカートリッジ。
【請求項９】
第二の芯であって、第三の端、第四の端、および前記第三の端と前記第四の端との間の第二の中央部分を含み、前記第三の端および前記第四の端が、前記第三のオリフィスおよび前記第四のオリフィスを通って延在し、前記第三の端および前記第四の端が、前記貯蔵部に収容されたプレベイパー製剤と接触するように構成され、前記第二の中央部分が、第一の中央部分と重なる、第二の芯をさらに備える、請求項８に記載のカートリッジ。
【請求項１０】
前記芯および前記第二の芯のうちの少なくとも１つが、略Ｕ字形状である、請求項９に記載のカートリッジ。
【請求項１１】
前記ハウジングがプラスチックで形成される、請求項１〜１０のいずれかに記載のカートリッジ。
【請求項１２】
前記側壁が、前記第一の端に第一の外径および前記第二の端に第二の外径を有し、前記第一の外径が、前記第二の外径より大きい、請求項１〜１１のいずれかに記載のカートリッジ。
【請求項１３】
長手方向に延在するハウジングであって、
側壁であって、略円柱状であり、第一の端および第二の端を含む、側壁、
前記側壁の前記第一の端における横軸方向の壁であって、その中に少なくとも１つの出口を含む、横軸方向の壁、および
前記ハウジングと一体的に形成される内側管であって、長手方向に延在し、前記側壁に対して同心に位置付けられ、前記少なくとも１つの出口と連通する、内側管を含む、ハウジング、ならびに
前記側壁と前記内側管との間の貯蔵部であって、プレベイパー製剤を収容するように構成される、貯蔵部を含む、カートリッジと、
長手方向に延在する第二のハウジングであって、接続部を介して前記ハウジングと接続するように構成される、第二のハウジング、
前記第二のハウジング内のバッテリー、および
前記バッテリーに電気的に接続される、ヒーターを含む、電源セクションと、を備える、電子ベイピング装置。
【請求項１４】
前記ヒーターを支持するように構成される、支持体をさらに備える、請求項１３に記載の電子ベイピング装置。
【請求項１５】
前記支持体がセラミックである、請求項１４に記載の電子ベイピング装置。
【請求項１６】
前記支持体に隣接する、断熱性スリーブをさらに備える、請求項１４または１５に記載の電子ベイピング装置。
【請求項１７】
前記ハウジングの前記側壁とその前記第二の端で接続するように構成される端部キャップであって、端部キャップ側壁および端部壁を含み、前記端部キャップ側壁が略円柱状である、端部キャップをさらに備える、請求項１３〜１６のいずれかに記載の電子ベイピング装置。
【請求項１８】
前記端部キャップ側壁が、前記ハウジングの前記側壁の内径よりも小さい外径を有し、そのため前記端部キャップ側壁が、前記ハウジングの前記側壁に受けられるように構成される、請求項１７に記載の電子ベイピング装置。
【請求項１９】
前記端部キャップが、その中に少なくとも１つの入口を含み、前記少なくとも１つの入口が、前記端部キャップ側壁が前記ハウジングの前記側壁に受けられた時に、前記内側管と連通する、請求項１８に記載の電子ベイピング装置。
【請求項２０】
前記端部キャップが、それを通って延在する第一のオリフィスおよび第二のオリフィスを含む、請求項１９に記載の電子ベイピング装置。
【請求項２１】
芯であって、第一の端、第二の端、および中央部分を含み、前記第一の端および前記第二の端が、第一のオリフィスおよび前記第二のオリフィスを通って延在し、前記第一の端および前記第二の端が、前記貯蔵部に収容されたプレベイパー製剤と接触するように構成され、前記中央部分が、前記少なくとも１つの入口の上に延在する、芯をさらに備える、請求項２０に記載の電子ベイピング装置。
【請求項２２】
前記第二のハウジングが、その中に前記カートリッジの一部分を受けるように構成され、そのため前記芯の前記中央部分が前記ヒーターと接触する、請求項２１に記載の電子ベイピング装置。
【請求項２３】
前記芯が、セルロース系材料、ガラス材料、ガラス繊維および綿のうちの少なくとも１つで形成される、請求項２１または２２に記載の電子ベイピング装置。
【請求項２４】
前記端部キャップが、前記端部キャップを通って延在する、第三のオリフィスおよび第四のオリフィスを含む、請求項２１、２２または２３に記載の電子ベイピング装置。
【請求項２５】
第二の芯であって、第三の端、第四の端、および第二の中央部分を含み、前記第三の端および前記第四の端が、前記第三のオリフィスおよび前記第四のオリフィスを通って延在し、前記第三の端および前記第四の端が、前記貯蔵部に収容されたプレベイパー製剤と接触するように構成され、前記第二の中央部分が、第一の中央部分と重なる、第二の芯をさらに備える、請求項２４に記載の電子ベイピング装置。
【請求項２６】
前記芯および前記第二の芯のうちの少なくとも１つが、略Ｕ字形状である、請求項２５に記載の電子ベイピング装置。
【請求項２７】
前記ハウジングがプラスチックで形成される、請求項１３〜２６のいずれかに記載の電子ベイピング装置。
【請求項２８】
前記側壁が、前記第一の端に第一の外径および前記第二の端に第二の外径を有し、前記第一の外径が、前記第二の外径より大きい、請求項１３〜２７のいずれかに記載の電子ベイピング装置。
【発明の詳細な説明】
【技術分野】
【０００１】
本開示は、プレベイパー製剤を気化器へと送達するように構成された電子ベイピング装置またはｅベイピング装置に関する。
【発明の概要】
【０００２】
電子ベイピング装置は、プレベイパー製剤を蒸発させてベイパー（蒸気）を生成するヒーター要素を含む。
【０００３】
少なくとも１つの例示的な実施形態は、電子ベイピング装置のカートリッジに関連する。
【０００４】
少なくとも１つの例示的な実施形態では、電子ベイピング装置のカートリッジは、長手方向に延在するハウジングを含む。ハウジングは側壁を含む。側壁は、略円柱状であり、第一の端および第二の端を含む。ハウジングはまた、側壁の第一の端に横軸方向の壁を含む。横軸方向の壁は、その中に少なくとも１つの出口を含む。ハウジングはまた、ハウジング内に一体的に形成される内側管を含む。内側管は長手方向に延在する。内側管は、側壁に対して同心に位置付けられる。内側管は、少なくとも１つの出口と連通する。カートリッジはまた、側壁と内側管との間に貯蔵部を含む。貯蔵部は、プレベイパー製剤を収容するように構成される。
【０００５】
少なくとも１つの例示的な実施形態では、カートリッジはまた、その第二の端でハウジングの側壁に取り付けられるように構成される、端部キャップを含む。端部キャップは、端部キャップ側壁および端部壁を含む。端部キャップ側壁は略円柱状である。端部キャップ側壁は、ハウジングの側壁の内径よりも小さい外径を有する。端部キャップ側壁は、ハウジングの側壁に受けられるように構成される。
【０００６】
少なくとも１つの例示的な実施形態では、端部キャップは、その中に少なくとも１つの入口を含む。少なくとも１つの入口は、内側管と連通する。端部キャップは、それを通って延在する第一のオリフィスおよび第二のオリフィスを含む。
【０００７】
少なくとも１つの例示的な実施形態では、カートリッジはまた芯を含む。芯は、第一の端、第二の端および中央部分を含む。第一の端および第二の端は、第一のオリフィスおよび第二のオリフィスを通って延在する。第一の端および第二の端は、貯蔵部に収容されたプレベイパー製剤と接触するように構成される。中央部分は、少なくとも１つの入口の上に延在する。少なくとも１つの例示的な実施形態では、芯は、セルロース系材料、ガラス材料、ガラス繊維および綿のうちの少なくとも１つで形成される。少なくとも１つの例示的な実施形態では、芯は、約０．６ミリメートル〜約１．０ミリメートルの範囲の厚さを有する、セルロースフィルター紙で形成されうる。
【０００８】
少なくとも１つの例示的な実施形態では、端部キャップは、端部キャップを通って延在する第三のオリフィスおよび第四のオリフィスを含む。
【０００９】
少なくとも１つの例示的な実施形態では、カートリッジはまた、第二の芯を含む。第二の芯は、第三の端、第四の端および第二の中央部分を含む。第三の端および第四の端は、第三のオリフィスおよび第四のオリフィスを通って延在する。第三の端および第四の端は、貯蔵部に収容されたプレベイパー製剤と接触するように構成される。第二の中央部分は、第一の中央部分と重なる。
【００１０】
少なくとも１つの例示的な実施形態では、芯および第二の芯のうちの少なくとも１つは、略Ｕ字形状である。
【００１１】
少なくとも１つの例示的な実施形態では、ハウジングはプラスチックで形成される。
【００１２】
少なくとも１つの例示的な実施形態では、側壁は、第一の端における第一の外径および第二の端における第二の外径を有する。第一の外径は第二の外径より大きい。
【００１３】
少なくとも１つの例示的な実施形態は、電子ベイピング装置に関連する。
【００１４】
少なくとも１つの例示的な実施形態では、電子ベイピング装置は、長手方向に延在するハウジングを含む電子ベイピング装置のカートリッジを含む。ハウジングは側壁を含む。側壁は、略円柱状であり、第一の端および第二の端を含む。ハウジングはまた、側壁の第一の端に横軸方向の壁を含む。横軸方向の壁は、その中に少なくとも１つの出口を含む。ハウジングはまた、ハウジング内に一体的に形成される内側管を含む。内側管は長手方向に延在する。内側管は、側壁に対して同心に位置付けられる。内側管は、少なくとも１つの出口と連通する。カートリッジはまた、側壁と内側管との間に貯蔵部を含む。貯蔵部は、プレベイパー製剤を収容するように構成される。
【００１５】
少なくとも１つの例示的な実施形態では、電子ベイピング装置はまた、電源セクションを含む。電源セクションは、長手方向に延在する第二のハウジングと、第二のハウジング内のバッテリーと、バッテリーに電気的に接続されるヒーターと、を含む。第二のハウジングは、接続部を介してハウジングと接続するように構成される。
【００１６】
少なくとも１つの例示的な実施形態では、電源セクションはまた、ヒーターを支持するように構成される支持体を含む。支持体はセラミックである。
【００１７】
少なくとも１つの例示的な実施形態では、電源セクションはまた、支持体に隣接する断熱性スリーブを含む。
【００１８】
少なくとも１つの例示的な実施形態では、カートリッジは、その第二の端でハウジングの側壁に取り付けられるように構成される、端部キャップを含む。端部キャップは、端部キャップ側壁および端部壁を含む。端部キャップ側壁は略円柱状である。端部キャップ側壁は、ハウジングの側壁の内径よりも小さい外径を有する。端部キャップ側壁は、ハウジングの側壁に受けられるように構成される。
【００１９】
少なくとも１つの例示的な実施形態では、端部キャップは、その中に少なくとも１つの入口を含む。少なくとも１つの入口は、内側管と連通する。端部キャップは、それを通って延在する第一のオリフィスおよび第二のオリフィスを含む。
【００２０】
少なくとも１つの例示的な実施形態では、カートリッジはまた芯を含む。芯は、第一の端、第二の端および中央部分を含む。第一の端および第二の端は、第一のオリフィスおよび第二のオリフィスを通って延在する。第一の端および第二の端は、貯蔵部に収容されたプレベイパー製剤と接触するように構成される。中央部分は、少なくとも１つの入口の上に延在する。少なくとも１つの例示的な実施形態では、芯は、セルロース系材料、ガラス材料、ガラス繊維および綿のうちの少なくとも１つで形成される。
【００２１】
少なくとも１つの例示的な実施形態では、端部キャップは、端部キャップを通って延在する第三のオリフィスおよび第四のオリフィスを含む。
【００２２】
少なくとも１つの例示的な実施形態では、カートリッジはまた、第二の芯を含む。第二の芯は、第三の端、第四の端および第二の中央部分を含む。第三の端および第四の端は、第三のオリフィスおよび第四のオリフィスを通って延在する。第三の端および第四の端は、貯蔵部に収容されたプレベイパー製剤と接触するように構成される。第二の中央部分は、第一の中央部分と重なる。
【００２３】
少なくとも１つの例示的な実施形態では、芯および第二の芯のうちの少なくとも１つは、略Ｕ字形状である。
【００２４】
少なくとも１つの例示的な実施形態では、ハウジングはプラスチックで形成される。
【００２５】
少なくとも１つの例示的な実施形態では、側壁は、第一の端における第一の外径および第二の端における第二の外径を有する。第一の外径は第二の外径より大きい。
【００２６】
少なくとも１つの例示的な実施形態では、第二のハウジングは、その中にカートリッジの一部分を受けるように構成され、そのため芯の中央部分がヒーターと接触する。
【００２７】
本明細書の非限定的な実施形態の様々な特徴および利点は、詳細な説明を添付の図面と併せて検討するとより明らかになるはずである。添付の図面は単に図示の目的のために提供され、請求項の範囲を制限するものと解釈されるべきではない。添付の図面は、明示的に注記されていない限り、実寸に比例して描かれていると考えられるべきでない。明瞭化の目的で、図面の様々な寸法は誇張されている場合がある。
【図面の簡単な説明】
【００２８】
【図１】図１は、少なくとも１つの例示的な実施形態によるカートリッジ上の端部キャップの第二の端の斜視図である。
【図２】図２は、少なくとも１つの例示的な実施形態による端部キャップおよびカートリッジの分解図である。
【図３】図３は、少なくとも１つの例示的な実施形態による、線３−３に沿った図２のカートリッジの分解断面図である。
【図４】図４は、少なくとも１つの例示的な実施形態によるカートリッジの斜視図である。
【図５】図５は、少なくとも１つの例示的な実施形態による電源セクションの斜視図である。
【図６】図６は、少なくとも１つの例示的な実施形態によるヒーター組立品の拡大斜視図である。
【図７】図７は、少なくとも１つの例示的な実施形態による電子ベイピング装置の側面図である。
【図８】図８は、少なくとも１つの例示的な実施形態による、線８−８に沿った図７の電子ベイピング装置の一部分の斜視断面図である。
【図９】図９は、少なくとも１つの例示的な実施形態による端部キャップの斜視図である。
【発明を実施するための形態】
【００２９】
いくつかの詳細な例示的な実施形態が本明細書で開示されている。しかしながら、本明細書に開示されている特定の構造面および機能面の詳細は、例示的な実施形態を説明することを目的とした単なる典型である。しかしながら、例示的な実施形態は、数多くの代替的な形態で具体化されることができ、本明細書に記載の例示的な実施形態のみに限定されるものと解釈されるべきではない。
【００３０】
従って、例示的な実施形態は、様々な修正および代替的形態が可能である一方で、その例示的な実施形態は例として図面に示されており、本明細書で詳細に説明する。ところが、当然のことながら、開示された特定の形態に対する例示的な実施形態に限定する意図はなく、反対に、例示的な実施形態は、例示的な実施形態の範囲の中に収まるあらゆる修正、均等物、代替物が網羅される。同様の数字は、図の説明の全体で同様の要素を意味する。
【００３１】
要素または層が別の要素もしくは層「の上にある」、「に接続される」、「に結合される」、または「を覆う」と言及される時、これはもう一方の要素もしくは層の上に直接ある、それに直接的に接続される、それに直接的に結合される、またはそれを直接的に覆う、あるいは介在する要素もしくは層が存在してもよいことが理解されるべきである。対照的に、要素が別の要素もしくは層「の上に直接ある」、「に直接的に接続される」、または「に直接的に結合される」と言及される時、介在する要素もしくは層は存在しない。同様の数字は、明細書の全体で同様の要素を指す。
【００３２】
当然のことながら、第一の、第二の、第三のなどという用語は、様々な要素、構成要素、領域、層、またはセクションを記述するために本明細書で使用されてもよいが、これらの要素、構成要素、領域、層、またはセクションはこれらの用語によって限定されない。これらの用語は、ある一つの要素、構成要素、領域、層、またはセクションを別の構成要素、領域、層、またはセクションと区別するためにのみ使用される。従って、下記で考察される第一の要素、構成要素、領域、層、またはセクションは、例示的な実施形態の教示内容から逸脱することなく、第二の要素、構成要素、領域、層、またはセクションと呼ぶこともできる。
【００３３】
空間的関係の用語（例えば、「下に」、「下方に」、「下部」、「上方に」、「上部」、およびこれに類するもの）は、図中で図示する際に、一つの要素または特徴と他の要素または特徴との間の関係を説明しやすくするために本明細書で使用されてもよい。空間的関係の用語は、図に図示されている方向に加えて、使用時または動作時に装置の異なる方向を包含することが意図されていることを理解するべきである。例えば、図中の装置をひっくり返した場合、他の要素または特徴の「下方に」または「下に」と説明されている要素は、その後は他の要素または特徴の「上方に」方向付けられることになる。従って、用語「下方に」は上方および下方の両方の方向を包含する場合がある。装置は、その他の方法で（９０度回転して、または他の方向で）方向付けられる場合があり、本明細書で使用される空間的関係の記述語は適宜に解釈される。
【００３４】
本明細書で使用される用語は、様々な例示的な実施形態を説明する目的のみのものであり、例示的な実施形態の制限を意図しない。単数形「一つの（ａ）」、「一つの（ａｎ）」、および「その（ｔｈｅ）」は本明細書で使用される場合、複数形も含むことが意図されているが、文脈によって明らかにそうではないことが示される場合はその限りではない。「含む（ｉｎｃｌｕｄｅｓ）」、「含む（ｉｎｃｌｕｄｉｎｇ）」「備える（ｃｏｍｐｒｉｓｅｓ）」、および「備える（ｃｏｍｐｒｉｓｉｎｇ）」という用語は本明細書で使用される時、述べられた特徴、整数、工程、動作、要素、または構成要素の存在を特定するが、一つ以上の他の特徴、整数、工程、動作、要素、構成要素、またはこれらの群の存在または追加を除外しないことがさらに理解されるであろう。
【００３５】
例示的な実施形態は、例示的な実施形態の理想的な実施形態の概略図（および中間構造）である断面図を参照して本明細書で説明される。このように、例えば製造技法または許容差の結果として得られた図の形状からの変化が予想される。従って、例示的な実施形態は、本明細書に図示された領域の形状を限定するものとして解釈されるべきでなく、例えば製造に起因する形状の逸脱を含む。
【００３６】
その他の方法で定義されない限り、本明細書で使用されるすべての用語（技術的用語および科学的用語を含む）は、例示的な実施形態が属する当該技術分野の当業者が通常理解しているものと同じ意味を有する。用語（一般的に使用されている辞書で定義された用語を含む）は、関連する技術分野の文脈でのそれらの用語の意味と一致する意味を有するものと解釈されるべきであり、理想的なまたは過度に正式な意味で解釈されないが、本明細書で明示的にそのように定義されている場合はその限りではないことがさらに理解されるであろう。
【００３７】
少なくとも１つの例示的な実施形態は、電子ベイピング装置のカートリッジに関連する。
【００３８】
図１は、少なくとも１つの例示的な実施形態によるカートリッジの斜視図である。
【００３９】
図２は、少なくとも１つの例示的な実施形態による端部キャップおよびカートリッジの分解図である。
【００４０】
少なくとも１つの例示的な実施形態では、図１および図２に示す通り、カートリッジ１０は、長手方向に延在するハウジング１５を含む。少なくとも１つの例示的な実施形態では、ハウジング１５は側壁２０を含む。ハウジング１５は、第一の端２５および第二の端３０を持つ。少なくとも１つの例示的な実施形態では、カートリッジ１０は、成型される、３Ｄ印刷されるまたはその両方でありうる、単一な片である。
【００４１】
少なくとも１つの例示的な実施形態では、ハウジング１５は、略円柱状の断面を有しうる。その他の例示的な実施形態において、ハウジング１５は、略三角形の断面、その長さに沿って変化するハウジング１５の内径、およびその長さに沿って変化するハウジング１５の外径のうちの少なくとも１つを有しうる。いくつかの例示的な実施形態では、図１に示すように、ハウジング１５は、第二の端３０よりも第一の端２５において大きい直径を有しうる。
【００４２】
少なくとも１つの例示的な実施形態では、カートリッジ１０はまた、端部キャップ５５を含む。端部キャップ５５は、端部キャップ側壁６０および端部壁６５を含む。端部キャップ側壁６０は、略円柱状であり、ハウジング１５の第二の端３０と略同じ直径を有する。
【００４３】
少なくとも１つの例示的な実施形態では、端部キャップ側壁６０は、第二の端３０におけるハウジング１５の内径よりも小さい外径を有する一部分１６０（図２に示される）を含む。したがって、端部キャップ側壁６０の一部分は、ハウジング１５の第二の端３０内に受けられうる。端部キャップ側壁６０の一部分１６０は、摩擦嵌め、スナップ嵌め、またはその他の任意の適切な接続によって、ハウジング１５の第二の端３０内の適所に保持されうる。例えば、接着剤が、ハウジング１５内に端部キャップ側壁６０の一部分１６０を保持するために用いられてもよい。別の方法として、端部キャップ側壁６０の一部分１６０およびハウジング１５の第二の端３０は、端部キャップ５５とハウジング１５との間にねじ付きの接続を提供する、ねじ状の部分を含んでもよい。
【００４４】
少なくとも１つの例示的な実施形態では、端部キャップ５５は、その中に少なくとも１つの入口７０を含む。少なくとも１つの入口７０は、内側管４５（図２に関して以下で説明されるような）によって画定される空気通路４７と連通する。
【００４５】
少なくとも１つの例示的な実施形態では、端部キャップ５５はまた、端部キャップの端部壁６５を通って延在する第一のオリフィス１６５および第二のオリフィス１７０を含む。
【００４６】
少なくとも１つの例示的な実施形態では、カートリッジ１０はまた芯８５を含む。芯８５は、第一の端９０、第二の端９５および中央部分１００を含む。第一の端９０および第二の端９５はそれぞれ、端部キャップ５５の第一のオリフィス１６５および第二のオリフィス１７５を通って延在する。第一の端９０および第二の端９５は、貯蔵部５０に収容されたプレベイパー製剤と接触するように構成される。芯８５の中央部分１００は、少なくとも１つの入口７０の上に延在する。少なくとも１つの例示的な実施形態では、芯８５は、セルロース系材料、ガラス材料、ガラス繊維および綿のうちの少なくとも１つで形成される。少なくとも１つの例示的な実施形態では、芯は、約０．６ミリメートル〜約１．０ミリメートルの範囲の厚さを有する、セルロースフィルター紙で形成されうる。
【００４７】
少なくとも１つの例示的な実施形態では、芯８５は、プレベイパー製剤を引き出す能力を有するフィラメント（またはスレッド）を含んでもよい。例えば、芯８５は、ガラス（または、セラミック）フィラメントの束、および巻かれたガラスフィラメントの一群などを含む束などであってもよく、そのすべての配置では、フィラメント間のすきま間隔による毛管作用によってプレベイパー製剤を引き出すことが可能であってもよい。少なくとも１つの例示的な実施形態では、芯８５は、１〜８のフィラメントストランドを含んでもよく、各ストランドは、互いにねじれた複数のガラスフィラメントを含む。フィラメントは、概して十字型、クローバー型、Ｙ字型、または任意の他の好適な形状の断面を有してもよい。
【００４８】
少なくとも１つの例示的な実施形態では、芯８５は任意の適切な材料または材料の組み合わせを含みうる。適切な材料の例には、ガラス、セラミックまたはグラファイトをベースにした材料があるがそれらに限定されない。芯８５は密度、粘性、表面張力、蒸気圧といった異なる物理特性を有するプレベイパー製剤に適応するように、任意の適切な毛細管引き出し作用を有してもよい。
【００４９】
少なくとも１つの例示的な実施形態では、芯８５は略Ｕ字形状である。
【００５０】
少なくとも１つの例示的な実施形態では、ハウジング１５および端部キャップ５５はプラスチックで形成される。ハウジング１５および端部キャップ５５は、射出成型されてもよく、または３Ｄ印刷されてもよい。プラスチックは、透明であってもよく、色付けられてもよく、もしくは色付きのプラスチックであってもよく、またはそれらの組合せであってもよい。
【００５１】
少なくとも１つの例示的な実施形態では、図２に示すように、内側管４５は、ハウジング１５と一体的に形成され、またハウジング１５内で同軸に位置付けられる。貯蔵部５０は、内側管４５の外側表面とハウジング１５の内側表面との間に画定される。貯蔵部５０は、サイズ設定され、プレベイパー製剤を収容するように構成される。
【００５２】
少なくとも１つの例示的な実施形態では、内側管４５は、ハウジング１５と一体的に形成される。内側管４５は長手方向に延在する。内側管４５は、少なくとも１つの出口４０（図３および図４に示す）と連通する。
【００５３】
少なくとも１つの例示的な実施形態において、プレベイパー製剤は、ベイパーに変化しうる材料または材料の組み合わせである。例えば、プレベイパー製剤は、水、ビーズ、溶媒、活性成分、エタノール、植物抽出物、天然または人工の香料、グリセリンおよびプロピレングリコールなどのベイパー形成体、ならびにこれらの組み合わせ（ただしこれらに限定されない）を含む、液体製剤、固体製剤、またはゲル製剤のうちの少なくとも１つであってもよい。
【００５４】
少なくとも１つの例示的な実施形態では、カートリッジ１０は交換可能であってもよい。別の言い方をすると、一度カートリッジ１０のプレベイパー製剤が消耗されると、カートリッジ１０は、廃棄されて、新しいカートリッジと取り替えられうる。別の例示的な実施形態では、カートリッジ１０内の貯蔵部５０は、カートリッジ１０が再使用可能であるように再補充されてもよい。
【００５５】
少なくとも１つの例示的な実施形態では、貯蔵部５０は随意的に、貯蔵媒体（図示せず）を収容しうる。貯蔵媒体は、その中にプレベイパー製剤を貯蔵するように構成される。貯蔵媒体２１０は、巻かれたコットンガーゼまたは他の繊維質材料を含んでもよい。
【００５６】
少なくとも１つの例示的な実施形態では、貯蔵媒体は、綿、ポリエチレン、ポリエステル、レーヨン、およびこれらの組み合わせのうちの少なくとも１つを含む繊維質材料であってもよい。繊維は、約６ミクロン〜約１５ミクロン（例えば、約８ミクロン〜約１２ミクロン、または約９ミクロン〜約１１ミクロン）のサイズの範囲である直径を有してもよい。貯蔵媒体は、焼結材料、多孔性材料、または発泡性材料であってもよい。また、繊維は無関係な寸法とされてもよく、またＹ字形状、十字形状、クローバー形状、または任意の他の適切な形状の断面を有してもよい。
【００５７】
図３は、少なくとも１つの例示的な実施形態による、線３−３に沿った図２のカートリッジの分解断面図である。
【００５８】
少なくとも１つの例示的な実施形態では、図３に示すように、カートリッジ１０は、図１および図２に示したものと同様である。図３に示すように、ハウジング１５は、ハウジング１５の第一の端２５に横軸方向の端部壁３５を含む。横軸方向の端部壁３５は、側壁２０および内側管４５と一体的に形成される。横軸方向の端部壁３５は、その中に少なくとも１つの出口４０を含む。少なくとも１つの出口４０は、内側管４５によって画定される空気通路４７と連通する。
【００５９】
図４は、少なくとも１つの例示的な実施形態によるカートリッジの他方の端部の斜視図である。
【００６０】
少なくとも１つの例示的な実施形態では、図４に示すように、カートリッジ１０は、図１、図２および図３と同様である。図４に示すように、横軸方向の端部壁３５は、略平面を有する。他の例示的な実施形態において、横軸方向の端部壁３５は、凸面または凹面であってもよい。
【００６１】
図５は、少なくとも１つの例示的な実施形態による電源セクションの斜視図である。
【００６２】
少なくとも１つの例示的な実施形態では、図５に示す通り、電源セクション１０５は、長手方向に延在するハウジング１４０を含む。ハウジング１４０は、単に説明のために透明で示される。ハウジング１４０は、第一のハウジング端２２５および第二のハウジング端２３０を有する。第一のハウジング端２２５は、その中にカートリッジ１０の少なくとも一部分を受けるように構成される。
【００６３】
少なくとも１つの例示的な実施形態では、電源セクション１０５は、ヒーター１１５およびバッテリー１１０を含む。ヒーター１１５は、平面状のヒーターまたはワイヤーコイルヒーターでありうる。
【００６４】
少なくとも１つの例示的な実施形態では、ヒーター１１５は任意の適切な電気抵抗性材料で形成されうる。好適な電気抵抗性材料の例としては、チタン、ジルコニウム、タンタル、および白金族由来の金属が挙げられ得るが、それらに限定されない。好適な合金の実施例としては、ステンレス鋼、ニッケル含有、コバルト含有、クロミウム含有、アルミニウム含有、チタン含有、ジルコニウム含有、ハフニウム含有、ニオビウム含有、モリブデン含有、タンタル含有、タングステン含有、スズ含有、ガリウム含有、マンガン含有、および鉄含有合金、ならびにニッケル系、鉄系、コバルト系、およびステンレス鋼系の超合金が含まれるが、それらに限定されない。例えば、ヒーター１１５は、ニッケルアルミナイド、表面上にアルミナの層をもつ材料、鉄アルミナイドおよび他の複合材料で形成されてもよく、電気抵抗性の材料は、必要とされるエネルギー伝達の動態学および外部の物理化学的性質に応じて、随意に断熱材料に埋め込み、封入、または断熱材料で被覆されてもよく、もしくはその逆であってもよい。ヒーター１１５は、ステンレス鋼、銅、銅合金、ニッケル−クロム合金、超合金、およびこれらの組み合わせから成る群から選択される少なくとも一つの材料を含み得る。例示的な実施形態では、ヒーター１１５はニッケル−クロム合金または鉄−クロム合金で形成されてもよい。別の例示的な実施形態において、ヒーター１１５は、プラチナの層などのその外側表面上に電気抵抗性の層を有するセラミックまたはアルミナの層を含んでもよい。少なくとも１つの例示的な実施形態では、ヒーター１１５は、セラミック、アルミナまたはジルコニアのうちの少なくとも１つを含みうる。
【００６５】
少なくとも１つの例示的な実施形態では、ヒーター１１５は、約０．２５ミリメートル〜約５．０ミリメートルの範囲の寸法を有する。少なくとも２つの導線１２５ａ、１２５ｂは、ヒーター１１５から延在して、ヒーター１１５をバッテリー１１０に電気的に接続しうる。導線は、ニッケルで形成されてもよい。ヒーター１１５は、２５℃で約２．６オームの電気抵抗および３５０℃で約５．６オームの電気抵抗を有してもよい。
【００６６】
少なくとも１つの例示的な実施形態では、ヒーター１１５は、ヒーター１１５が芯８５と接触する一点において、芯８５の幅および長さのうちの少なくとも１つより小さい幅および長さのうちの少なくとも１つを有する。したがって、ヒーター１１５が芯８５と接触した時、ヒーター１１５の表面は、芯８５と完全に接触し、芯８５の一部分は、ヒーター１１５の境界を越えて延在する。ヒーター１１５は、芯８５の中のプレベイパー製剤を熱伝導によって加熱しうる。別の方法として、ヒーター１１５からの熱は熱伝導性要素によってプレベイパー製剤に伝導されてもよく、またはヒーター１１５は、ベイピング中に電子ベイピング装置２００を通して引き出される入ってくる周囲空気に熱を伝達してもよく、その結果プレベイパー製剤を対流によって加熱する。
【００６７】
図５に示すように、ヒーター１１５は、断熱性スリーブ１２３によって少なくとも部分的に取り囲まれる、支持体１２０によって支持されうる。
【００６８】
少なくとも１つの例示的な実施形態では、バッテリー１１０は、リチウム−イオン電池、またはその変形のうちの１つ（例えば、リチウム−イオンポリマー電池）であってもよい。あるいは、バッテリー１１０は、ニッケル・水素電池、ニッケル・カドミウム電池、リチウムマンガン電池、リチウム・コバルト電池、又は燃料電池でありうる。
【００６９】
少なくとも１つの例示的な実施形態では、バッテリー１１０は再充電可能であってもよく、外部充電装置による電池１１０の充電を可能にするように構成された回路を含んでもよい。
【００７０】
少なくとも１つの例示的な実施形態では、電源セクション１０５はまた、制御回路１３５およびセンサー１３０を含みうる。
【００７１】
少なくとも１つの例示的な実施形態では、センサー１３０は、空気圧力の降下を感知するように構成されるセンサーである。センサー１３０は、微小電気機械（ＭＥＭＳ）センサーであってもよい。制御回路１３５は、センサー１３０が陰圧を感知した時に、バッテリー１１０からヒーター１１５への電圧の印加を開始しうる。
【００７２】
少なくとも１つの例示的な実施形態では、電源セクション１０５は、電源セクション１０５の電源端部キャップ１４５に、またはそれに隣接するヒーター作動灯４８を含みうる。制御回路１３５は、ヒーター１１５が起動された時にヒーター作動灯４８の点灯を開始するように構成されうる。ヒーター作動灯４８は、発光ダイオード（ＬＥＤ）を含みうる。さらに、ヒーター作動灯４８は、成人電子ベイピング装置使用者から見えるように配置されうる。加えて、ヒーター作動灯４８は、ｅベイピングシステムの診断を示してもよく、再充電の進行を示してもよく、またはその両方であってもよい。ヒーター作動灯４８を、成人電子ベイピング装置使用者がプライバシーのためにヒーター作動灯４８を作動する、作動停止する、または作動および作動停止するようにも構成することもできる。
【００７３】
少なくとも１つの例示的な実施形態では、少なくとも１つの空気吸込み口３００は、電源端部キャップ１４５に隣接して配置されてもよい。少なくとも１つの空気吸込み口３００は、ハウジング１４０を通って延在しうる。
【００７４】
少なくとも１つの例示的な実施形態では、制御回路１３５は、センサー１３０に応答して電力をヒーター１１５に供給しうる。１つの例示的な実施形態において、制御回路１３５は最大時間リミッターを含んでもよい。別の例示的な実施形態において、制御回路１３５は、成人電子ベイピング装置使用者が吸煙を開始するための手動で操作可能なスイッチを含んでもよい。ヒーター１１５への電流供給の時間は、気化されるプレベイパー製剤の所望の量に応じて予め設定されてもよい。さらに別の例示的な実施形態において、制御回路１３５はセンサー１３０が圧力降下を検出する限り、ヒーター１１５に電力を供給しうる。
【００７５】
作動された時、ヒーター１１５は、ヒーター１１５に隣接するまたは接触する芯８５の一部分を約１０秒間未満または約５秒間未満、加熱しうる。
【００７６】
図６は、少なくとも１つの例示的な実施形態によるヒーター組立品の拡大斜視図である。
【００７７】
少なくとも１つの例示的な実施形態では、図６に示すように、図５に関して説明したのと同様に、ヒーター１１５は、断熱性スリーブ１２３によって少なくとも取り囲まれる、支持体１２０によって支持されうる。少なくとも１つの貫通穴１９０は、断熱性スリーブ１２３を通って延在していてもよく、それにより、空気が貫通穴１９０を通って空気通路４７へ流れることを可能にする。導線１２５ａ、１２５ｂはまた、所望であれば、それぞれの貫通穴１９０を通って延在してもよい。支持体１２０は、略長方形状であってもよく、またサイズ設定された凹みを含み、その中にヒーター１１５を受けるように構成されてもよい。１つ以上のチャネルは、凹みから延在してもよく、ヒーター１１５から延在する導線は、その中に位置付けられてもよい。
【００７８】
少なくとも１つの例示的な実施形態では、断熱性スリーブ１２３は、略円柱状であり、ハウジング１４０の内径とおおよそ同じまたはそれ未満の外径を有する。したがって、断熱性スリーブ１２３は、摩擦ばめによってハウジング１４０内の適所に保持されうる。他の例示的な実施形態では、断熱性スリーブ１２３は、任意の適切な接着剤または機構によって適所に保持されうる。
【００７９】
少なくとも１つの例示的な実施形態は、電子ベイピング装置に関連する。
【００８０】
図７は、少なくとも１つの例示的な実施形態による電子ベイピング装置の側面図である。
【００８１】
少なくとも１つの例示的な実施形態では、図７に示すように、電子ベイピング装置２００は、カートリッジ１０および電源セクション１０５を含みうる。少なくとも１つの例示的な実施形態では、空気吸込み口３００は、電源端部キャップ１４５に、または電源セクション１０５のハウジング１４０に沿って位置されうる。
【００８２】
少なくとも１つの例示的な実施形態では、空気吸込み口３００は、各電子ベイピング装置２００の引き出し抵抗を制御するようにそれらの直径が製造中に正確に制御されて、一つの電子ベイピング装置２００から次のものへと複製されるように、精密な工具を用いてハウジング１４０内に機械加工されうる。
【００８３】
少なくとも１つの例示的な実施形態では、電子ベイピング装置２００は、約８０ミリメートル〜約２００ミリメートルの長さ、および約７ミリメートル〜約１５ミリメートルの直径としうる。例えば、１つの例示的な実施形態において、電子ベイピング装置は、約８４ミリメートルの長さであってもよく、約７．８ミリメートルの直径を有してもよい。
【００８４】
図８は、少なくとも１つの例示的な実施形態による、図７の電子ベイピング装置の一部分の斜視断面図である。
【００８５】
少なくとも１つの例示的な実施形態では、図８に示すように、カートリッジ１０の第二の端３０が電源セクション１０５のハウジング１４０の第一の端２２５内へ挿入された時に、芯８５の中央部分１００は、ヒーター１１５と接触する。少なくとも１つの例示的な実施形態では、ヒーター１１５の表面全体は、芯８５と完全に接触する。
【００８６】
少なくとも１つの例示的な実施形態では、図９に示すように、単一な芯を有する端部キャップ５５を含む代わりに、端部キャップ５５は、端部キャップおよび第二の芯４００を通って延在する第三のオリフィスおよび第四のオリフィスを含みうる。第二の芯は、第三の端４０２、第四の端４０５および第二の中央部分４０７を含む。第三の端４０２および第四の端４０５は、第三のオリフィスおよび第四のオリフィスを通って延在する。第三の端４０２および第四の端４０５は、貯蔵部に収容されたプレベイパー製剤と接触するように構成される。第二の中央部分４０７は、第一の芯８５の第一の中央部分１００と重なる。
【００８７】
数多くの例示的な実施形態が本明細書で開示されてきたが、他の変形物が可能でありうることを理解するべきである。こうした変形は、例示的な実施形態の意図される範囲を逸脱するものと見なされず、当業者にとって明らかであろうすべての変更は、以下の請求項の範囲内に含まれることが意図される。
【図１】
2019517840.tif 000003
【図２】
2019517840.tif 000004
【図３】
2019517840.tif 000005
【図４】
2019517840.tif 000006
【図５】
2019517840.tif 000007
【図６】
2019517840.tif 000008
【図７】
2019517840.tif 000009
【図８】
2019517840.tif 000010
【図９】
2019517840.tif 000011
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
電子ベイピング装置のカートリッジであって、前記カートリッジは、一体型の構造を有し、
長手方向に延在するハウジングであって、
側壁であって、略円柱状であり、第一の端および第二の端を含む、側壁、
前記側壁の前記第一の端における横軸方向の壁であって、その中に少なくとも１つの出口を含む、横軸方向の壁、および
前記側壁および前記横軸方向の壁と一体的に形成される内側管であって、長手方向に延在し、前記側壁に対して同心に位置付けられ、前記少なくとも１つの出口と連通する、内側管を含む、ハウジングと、
前記側壁と前記内側管との間の貯蔵部であって、プレベイパー製剤を収容するように構成される、貯蔵部と、
前記ハウジングの前記側壁とその前記第二の端で接続するように構成される端部キャップであって、端部キャップ側壁および端部壁を含み、前記端部キャップ側壁が略円柱状であり、
前記端部キャップの中の少なくとも１つの入口であって、前記端部キャップ側壁が前記ハウジングの前記側壁に受けられた時に、前記内側管と連通する、少なくとも１つの入口と、
前記端部キャップを通って延在する第一のオリフィスおよび第二のオリフィスであって、前記端部キャップ側壁が前記ハウジングの前記側壁に受けられた時に、前記貯蔵部と連通するように構成される、第一のオリフィスおよび第二のオリフィスと、を含む、端部キャップと、
芯であって、第一の端、第二の端、および前記第一の端と前記第二の端との間の中央部分を含み、前記第一の端および前記第二の端が、第一のオリフィスおよび前記第二のオリフィスを通って延在し、前記第一の端および前記第二の端が、前記貯蔵部に収容されたプレベイパー製剤と接触するように構成され、前記中央部分が、前記少なくとも１つの入口の上に延在する、芯と、を備える、カートリッジ。
【請求項２】
前記端部キャップ側壁が、前記ハウジングの前記側壁の内径よりも小さい外径を有し、そのため前記端部キャップ側壁が、前記ハウジングの前記側壁に受けられるように構成される、請求項１に記載のカートリッジ。
【請求項３】
前記芯が、セルロース系材料、ガラス材料、ガラス繊維および綿のうちの少なくとも１つで形成される、請求項１または請求項２に記載のカートリッジ。
【請求項４】
前記端部キャップが、前記端部キャップを通って延在する、第三のオリフィスおよび第四のオリフィスを含む、請求項１、請求項２、または請求項３に記載のカートリッジ。
【請求項５】
第二の芯であって、第三の端、第四の端、および前記第三の端と前記第四の端との間の第二の中央部分を含み、前記第三の端および前記第四の端が、前記第三のオリフィスおよび前記第四のオリフィスを通って延在し、前記第三の端および前記第四の端が、前記貯蔵部に収容されたプレベイパー製剤と接触するように構成され、前記第二の中央部分が、第一の中央部分と重なる、第二の芯をさらに備える、請求項４に記載のカートリッジ。
【請求項６】
前記芯および前記第二の芯のうちの少なくとも１つが、略Ｕ字形状である、請求項５に記載のカートリッジ。
【請求項７】
前記ハウジングがプラスチックで形成される、請求項１〜６のいずれかに記載のカートリッジ。
【請求項８】
前記側壁が、前記第一の端に第一の外径および前記第二の端に第二の外径を有し、前記第一の外径が、前記第二の外径より大きい、請求項１〜７のいずれかに記載のカートリッジ。
【請求項９】
長手方向に延在するハウジングであって、
側壁であって、略円柱状であり、第一の端および第二の端を含む、側壁、
前記側壁の前記第一の端における横軸方向の壁であって、その中に少なくとも１つの出口を含む、横軸方向の壁、および
前記ハウジングと一体的に形成される内側管であって、長手方向に延在し、前記側壁に対して同心に位置付けられ、前記少なくとも１つの出口と連通する、内側管を含む、ハウジング、ならびに
前記側壁と前記内側管との間の貯蔵部であって、プレベイパー製剤を収容するように構成される、貯蔵部を含む、カートリッジと、
前記ハウジングの前記側壁とその前記第二の端で接続するように構成される端部キャップであって、端部キャップ側壁および端部壁を含み、前記端部キャップ側壁が略円柱状であり、
前記端部キャップの中の少なくとも１つの入口であって、前記端部キャップ側壁が前記ハウジングの前記側壁に受けられた時に、前記内側管と連通する、少なくとも１つの入口と、
前記端部キャップを通って延在する第一のオリフィスおよび第二のオリフィスであって、前記端部キャップ側壁が前記ハウジングの前記側壁に受けられた時に、前記貯蔵部と連通するように構成される、第一のオリフィスおよび第二のオリフィスと、を含む、端部キャップと、
芯であって、第一の端、第二の端、および前記第一の端と前記第二の端との間の中央部分を含み、前記第一の端および前記第二の端が、第一のオリフィスおよび前記第二のオリフィスを通って延在し、前記第一の端および前記第二の端が、前記貯蔵部に収容されたプレベイパー製剤と接触するように構成され、前記中央部分が、前記少なくとも１つの入口の上に延在する、芯と、を備える、電子ベイピング装置、
長手方向に延在する第二のハウジングであって、接続部を介して前記ハウジングと接続するように構成される、第二のハウジング、
前記第二のハウジング内のバッテリー、および
前記バッテリーに電気的に接続される、ヒーターを含む、電源セクションと、を備える、電子ベイピング装置。
【請求項１０】
前記ヒーターを支持するように構成される支持体をさらに備える、請求項９に記載の電子ベイピング装置。
【請求項１１】
前記支持体がセラミックである、請求項１０に記載の電子ベイピング装置。
【請求項１２】
前記支持体に隣接する断熱性スリーブをさらに備える、請求項１０または請求項１１に記載の電子ベイピング装置。
【請求項１３】
前記端部キャップ側壁が、前記ハウジングの前記側壁の内径よりも小さい外径を有し、そのため前記端部キャップ側壁が、前記ハウジングの前記側壁に受けられるように構成される、請求項９〜１２のいずれかに記載の電子ベイピング装置。
【請求項１４】
前記芯が、セルロース系材料、ガラス材料、ガラス繊維および綿のうちの少なくとも１つで形成される、請求項９〜１３のいずれかに記載の電子ベイピング装置。
【請求項１５】
前記端部キャップが、前記端部キャップを通って延在する、第三のオリフィスおよび第四のオリフィスを含む、請求項９〜１４のいずれかに記載の電子ベイピング装置。
【請求項１６】
第二の芯であって、第三の端、第四の端、および第二の中央部分を含み、前記第三の端および前記第四の端が、前記第三のオリフィスおよび前記第四のオリフィスを通って延在し、前記第三の端および前記第四の端が、前記貯蔵部に収容されたプレベイパー製剤と接触するように構成され、前記第二の中央部分が、第一の中央部分と重なる、第二の芯をさらに備える、請求項１５に記載の電子ベイピング装置。
【請求項１７】
前記芯および前記第二の芯のうちの少なくとも１つが、略Ｕ字形状である、請求項１６に記載の電子ベイピング装置。
【請求項１８】
前記ハウジングがプラスチックで形成される、請求項９〜１７のいずれかに記載の電子ベイピング装置。
【請求項１９】
前記側壁が、前記第一の端に第一の外径および前記第二の端に第二の外径を有し、前記第一の外径が、前記第二の外径より大きい、請求項９〜１８のいずれかに記載の電子ベイピング装置。
【国際調査報告】
2019517840.tif 000012
2019517840.tif 000013